(57)【特許請求の範囲】
【請求項１】
紙葉類を搬送する搬送手段と、
搬送される前記紙葉類に対して光を照射する照明手段と、
前記照明手段により照明され、前記紙葉類の面からの反射光を受光するセンサを有し、前記紙葉類の画像を取得する画像取得手段と、
前記センサによる読取位置における前記紙葉類の面と前記センサとの距離を示す深度と、前記深度毎の前記反射光の明るさの低下率と、に基づいて予め算出される補正係数を格納する補正係数格納手段と、
前記補正係数により、前記画像取得手段により取得された前記画像を補正する補正処理手段と、
を具備する紙葉類処理装置。
【請求項２】
前記深度のプリセット値を予め格納する深度格納手段をさらに具備し、
前記補正係数格納手段は、前記深度のプリセット値と、前記深度毎の前記反射光の明るさの低下率と、に基づいて算出された補正係数を格納する、
請求項１に記載の紙葉類処理装置。
【請求項３】
搬送される前記紙葉類から前記深度を検出する深度検出手段をさらに具備し、
前記補正係数格納手段は、前記深度検出手段により検出された前記深度と、前記深度毎の前記反射光の明るさの低下率と、に基づいて算出された補正係数を格納する、
請求項１に記載の紙葉類処理装置。
【請求項４】
搬送される前記紙葉類の前記照明手段と前記センサとに対する傾きを検出する傾き検出手段をさらに具備し、
前記補正係数格納手段は、前記深度検出手段により検出された前記深度と、前記傾き検出手段により検出された前記傾きと、前記深度毎の前記反射光の明るさの低下率と、に基づいて算出された補正係数を格納する、
請求項３に記載の紙葉類処理装置。
【請求項５】
前記補正処理手段により補正された前記画像に基づいて前記紙葉類に対する判定を行う判定手段と、
前記判定手段の判定結果に基づいて、前記紙葉類を区分する区分処理手段と、
をさらに具備する請求項１乃至４のいずれかに記載の紙葉類処理装置。
【請求項６】
紙葉類を搬送し、
搬送される前記紙葉類に対して光を照射し、
前記紙葉類に対して照射された光の前記紙葉類の面からの反射光をセンサによって受光して前記紙葉類の画像を取得し、
前記センサによる読取位置における前記紙葉類の面と前記センサとの距離を示す深度と、前記深度毎の前記反射光の明るさの低下率と、に基づいて予め算出される補正係数を格納し、
前記補正係数により、取得された前記画像を補正する、
紙葉類処理方法。
【発明の詳細な説明】
【技術分野】
【０００１】
本発明の実施形態は、紙葉類処理装置、及び紙葉類処理方法に関する。
【背景技術】
【０００２】
従来、種々の紙葉類の検査を行う紙葉類処理装置が実用化されている。紙葉類処理装置は、紙葉類の画像を読み取る画像読取装置を有する。紙葉類処理装置は、投入部に投入された紙葉類を１枚ずつ取り込み、検査部に搬送する。
【０００３】
検査部は、紙葉類の特徴を検知する検知部を備える。検査部は、検知部により所定の方向に搬送される紙葉類から特徴量を検知する。例えば、検査部は、検知結果に基づいて紙葉類の券種（ｃａｔｅｇｏｒｙ）、額面（ｄｅｎｏｍｉｎａｔｉｏｎ）、及び方向（ｄｉｒｅｃｔｉｏｎ）を判定する。また、例えば、検査部は、検知結果に基づいて紙葉類の正損（Ｆｉｔｎｅｓｓ）を判定する。また、例えば、検査部は、検知結果に基づいて紙葉類の真偽（ａｕｔｈｅｎｔｉｃａｔｉｏｎ）を判定する。
【０００４】
検査部は、例えば、紙葉類の画像を取得し、取得した紙葉類の画像と、予め設定されたパラメータとを比較し、比較結果に基づいて紙葉類の検査する紙葉類の券種、正損、及び真偽などを検知する。
【先行技術文献】
【特許文献】
【０００５】
【特許文献１】特許第４５０５０５３号公報
【発明の概要】
【発明が解決しようとする課題】
【０００６】
上記したような紙葉類処理装置は、紙葉類を高速で搬送させる。検査部は、高速で搬送されている紙葉類に対して光源により光を照射する。検査部は、紙葉類が搬送される搬送路に対して光源と同じ側に設置されたセンサにより紙葉類からの反射光を電気信号に変換し、紙葉類の画像を取得する。
【０００７】
高速で搬送されている紙葉類は、例えばばたつきなどの変位が生じる場合がある。また、光源から出力される光は、光源からの距離に応じた配光傾斜（分布）を有する。この為、紙葉類に変位が生じた場合、光源の配光傾斜の影響を受ける可能性がある。これにより、紙葉類の画像に影響を与える可能性がある。
【０００８】
そこで、より高い精度で紙葉類を処理することが出来る紙葉類処理装置、及び紙葉類処理方法を提供することを目的とする。
【課題を解決するための手段】
【０００９】
一実施形態に係る紙葉類処理装置は、紙葉類を搬送する搬送手段と、搬送される前記紙葉類に対して光を照射する照明手段と、前記照明手段により照明され、前記紙葉類の面からの反射光を受光するセンサを有し、前記紙葉類の画像を取得する画像取得手段と、前記センサによる読取位置における前記紙葉類の面と前記センサとの距離を示す深度と、前記深度毎の前記反射光の明るさの低下率と、に基づいて予め算出される補正係数を格納する補正係数格納手段と、前記補正係数により、前記画像取得手段により取得された前記画像を補正する補正処理手段と、を具備する。
【図面の簡単な説明】
【００１０】
【図１】図１は、一実施形態に係る紙葉類処理装置について説明するための図である。
【図２】図２は、一実施形態に係る紙葉類処理装置について説明するための図である。
【図３】図３は、一実施形態に係る紙葉類処理装置について説明するための図である。
【図４】図４は、一実施形態に係る紙葉類処理装置について説明するための図である。
【図５】図５は、一実施形態に係る紙葉類処理装置について説明するための図である。
【図６】図６は、一実施形態に係る紙葉類処理装置について説明するための図である。
【図７】図７は、一実施形態に係る紙葉類処理装置について説明するための図である。
【図８】図８は、一実施形態に係る紙葉類処理装置について説明するための図である。
【図９】図９は、一実施形態に係る紙葉類処理装置について説明するための図である。
【図１０】図１０は、一実施形態に係る紙葉類処理装置について説明するための図である。
【図１１】図１１は、一実施形態に係る紙葉類処理装置について説明するための図である。
【図１２】図１２は、一実施形態に係る紙葉類処理装置について説明するための図である。
【図１３】図１３は、一実施形態に係る紙葉類処理装置について説明するための図である。
【図１４】図１４は、一実施形態に係る紙葉類処理装置について説明するための図である。
【発明を実施するための形態】
【００１１】
以下、図面を参照しながら、一実施形態に係る紙葉類処理装置、及び紙葉類処理方法について詳細に説明する。
【００１２】
図１は、一実施形態に係る紙葉類処理装置１００の構成例について説明するための説明図である。  
紙葉類処理装置１００は、操作員の操作に基づいて、紙葉類１の検査を行う。紙葉類処理装置１００は、検査を行った紙葉類１を集積部により集積及び／又は施封する。
【００１３】
紙葉類処理装置１００は、供給部２、取り込み部３、搬送状態検知部４、検査部５、厚さ検知部６、集積部７、制御部８、排除券集積部９、及び搬送部４１を備える。さらに、紙葉類処理装置１００は、紙葉類１の搬送先を切り替える為の第１のゲートＧ１及び第２のゲートＧ２を備える。
【００１４】
供給部２は、紙葉類処理装置１００に取り込む紙葉類１をストックする。供給部２は、重ねられた状態の紙葉類１をまとめて受け入れる装填口を備える。
【００１５】
取り込み部３は、分離ローラを備える。分離ローラは、供給部２の上端に設置される。供給部２に紙葉類１が投入される場合、分離ローラは、投入された紙葉類１の集積方向の上端に接する。分離ローラは、回転することにより、供給部２に装填される紙葉類１を集積方向の上端から１枚ずつ紙葉類処理装置１００の内部に取り込む。
【００１６】
分離ローラは、たとえば、１回転するごとに１枚の紙葉類１を取り込む。これにより、分離ローラは、紙葉類１を一定の間隔で取り込む。分離ローラにより取り込まれた紙葉類１は、搬送部４１に導入される。
【００１７】
搬送部４１は、紙葉類１を紙葉類処理装置１００内の各部に搬送する搬送部である。搬送部４１は、図示しない搬送ベルト及び図示しない駆動プーリなどを備える。搬送部４１は、図示しない駆動モータにより駆動プーリを駆動する。搬送ベルトは、駆動プーリにより動作する。
【００１８】
搬送部４１は、取り込み部３の分離ローラにより取り込まれる紙葉類１を搬送ベルトにより一定速度で搬送する。なお、搬送部４１において取り込み部３に近い側を上流側、逆側を下流側として説明する。
【００１９】
搬送状態検知部４は、搬送部４１により搬送される紙葉類１の搬送状態を検知する。搬送状態検知部４は、搬送路上における紙葉類１の位置、スキュー量、及び搬送ギャップなどを検知する。
【００２０】
例えば、搬送状態検知部４は、紙葉類１の中心を特定し、特定した中心からのズレを計測することにより、搬送ズレを検知する。また、例えば、搬送状態検知部４は、紙葉類１の搬送方向に対する傾きを計測することにより、スキュー量を検知する。また、例えば、搬送状態検知部４は、紙葉類１の搬送方向における後端と、次に搬送される紙葉類１の搬送方向における先端との距離を測定することにより、搬送ギャップを検知する。
【００２１】
検査部５は、真偽検知部５１、正損検知部５２、券種検知部５３、及び記番号検知部５４を備える。  
真偽検知部５１は、紙葉類１が真券(ｇｅｎｕｉｎｅ)であるか、偽券(ｃｏｕｎｔｅｒｆｅｉｔ)であるかを検知する。真偽検知部５１は、例えば紙葉類１の物理的特性（特徴）を検知する物理特性検知部、及び／または、磁気検知部などを備える。物理特性検知部は、例えば、紙葉類１から蛍光特性、または赤外線特性などを検知する。磁気検知部は、例えば、紙葉類１から磁気特性を検知する。真偽検知部５１は、物理特性検知部、及び／または磁気検知部における検知結果に基づいて紙葉類１の真偽（ａｕｔｈｅｎｔｉｃａｔｉｏｎ）を判定する。
【００２２】
正損検知部５２は、紙葉類１の正損（Ｆｉｔｎｅｓｓ）を検知する。即ち、正損検知部５２は、紙葉類１が再流通可能（ｒｅｃｉｒｃｕｌａｔａｂｌｅ）な正券（ｆｉｔ  ｓｈｅｅｔ）であるか、再流通不可能（ｕｎｒｅｃｉｒｃｕｌａｔａｂｌｅ）な損券（ｕｎｆｉｔ  ｓｈｅｅｔ）であるかを検知する。例えば、正損検知部５２は、紙葉類１の物理的特性を検知し、検知結果に基づいて、紙葉類１の正損を判定する。なお、正損検知部５２は、真偽検知部５１により真券であると判定された紙葉類１に対して正損を判定する。
【００２３】
券種検知部５３は、紙葉類１の券種（ｃａｔｅｇｏｒｙ）及び額面（ｄｅｎｏｍｉｎａｔｉｏｎ）を検知する。券種検知部５３は、紙葉類１の両面から光学的特徴（画像）を検知する。また、券種検知部５３は、紙葉類１の券種を判定する為の辞書を備える。
【００２４】
券種検知部５３は、紙葉類１から取得した画像に基づいて、特徴量（ｆｅａｔｕｒｅ  ｖａｌｕｅ）を抽出する。券種検知部５３は、抽出した特徴量と、辞書に記憶されている券種毎のパラメータとの類似度を算出する。券種検知部５３は、算出した類似度と、予め設定される閾値とに基づいて、紙葉類１の券種を検知する。さらに、券種検知部５３は、紙葉類１の表／裏、正向き／逆向きを検知する。なお、以下、紙葉類１の表裏、及び正逆をまとめて券種と称する。
【００２５】
記番号検知部５４は、紙葉類１に記載されている記番号を検知する。記番号検知部５４は、紙葉類１から画像を取得し、取得した画像中の記番号を文字認識を検知することにより、紙葉類１の記番号を取得する。
【００２６】
なお、検査部５は、真偽検知部５１、正損検知部５２、券種検知部５３、及び記番号検知部５４の処理に用いられる紙葉類１の画像を取得する画像取得部を有する。なお、画像取得部の構成については後述する。
【００２７】
厚さ検知部６は、搬送部４１により搬送される紙葉類１の厚さを検知する。厚さ検知部６は、紙葉類１の厚さに基づいて、紙葉類１が複数枚重なっている旨、及び紙葉類１の折れなどを検知する。
【００２８】
集積部７は、紙葉類１を検査部５により検知する券種毎に区分して集積する。集積部７は、正券集積部７１と損券集積部７２とを備える。正券集積部７１は、検査部５により真券であり、且つ正券であると判定された紙葉類１を集積する。さらに、正券集積部７１は、集積した紙葉類１の枚数が所定枚数に達する場合、紙葉類１を所定枚数毎に施封する。損券集積部７２は、検査部５により真券であり、且つ損券であると判定された紙葉類１を集積する。
【００２９】
制御部８は、紙葉類処理装置１００の各部の動作を統合的に制御する。制御部８は、主制御部８１、総合判定部８２、及び操作部８３などを備える。主制御部８１は、総合判定部８２による判定結果に基づいて、搬送部４１、第１のゲートＧ１、及び第２のゲートＧ２の動作を制御する。
【００３０】
総合判定部８２は、搬送状態検知部４、検査部５、及び厚さ検知部６の検知結果に基づいて、紙葉類１の搬送先を総合的に判定する。
【００３１】
例えば、総合判定部８２は、真偽検知部５１により真券であると判定され、正損検知部５２により正券であると判定された紙葉類１の搬送先を正券集積部７１に決定する。主制御部８１は、紙葉類１を正券集積部７１に搬送するように第１のゲートＧ１及び第２のゲートＧ２を制御する。即ち、主制御部８１は、第１のゲートＧ１を反時計回りに回動し、第２のゲートＧ２を時計回りに回動するように制御する。
【００３２】
また、総合判定部８２は、真偽検知部５１により真券と判定され、正損検知部５２により損券であると判定された紙葉類１の搬送先を損券集積部７２に決定する。主制御部８１は、紙葉類１を損券集積部７２に搬送するように第１のゲートＧ１及び第２のゲートＧ２を制御する。即ち、主制御部８１は、第１のゲートＧ１を反時計回りに回動し、第２のゲートＧ２を反時計回りに回動するように制御する。
【００３３】
またさらに、総合判定部８２は、真偽検知部５１により偽券、または排除券と判定された紙葉類１の搬送先を排除券集積部９に決定する。主制御部８１は、紙葉類１を排除券集積部９に搬送するように第１のゲートＧ１を制御する。即ち、主制御部８１は、第１のゲートＧ１を時計回りに回動するように制御する。
【００３４】
またさらに、総合判定部８２は、厚さ検知部６により紙葉類１が複数枚重なっている事、または、紙葉類１の折れを検知する場合、紙葉類１の搬送先を排除券集積部９に決定する。主制御部８１は、紙葉類１を排除券集積部９に搬送するように第１のゲートＧ１を制御する。即ち、主制御部８１は、第１のゲートＧ１を時計回りに回動するように制御する。
【００３５】
操作部８３は、例えばキーボード、表示部と一体に形成されるタッチパネル、または操作者による操作に応じた操作信号を受け付ける入力部などを備える。操作部８３は、入力される操作に基づいて操作信号を生成する。操作部８３は、生成した操作信号を主制御部８１に入力する。主制御部８１は、入力される操作信号に基づいて、種々の処理を実現する為の制御信号を生成する。
【００３６】
排除券集積部９は、検査部５の真偽検知部５１により偽券と判定された紙葉類１、厚さ検知部６により複数枚重なっていると判定された紙葉類１、及び、厚さ検知部６により折れが存在すると判定された紙葉類１を集積する。
【００３７】
図２は、検査部５の画像読取部に相当する構成の例を示す。  
検査部５は、制御部５０１、照明部５０２、センサ５０３、深度検出部５０４、データ記憶部５０５、補正係数算出部５０６、補正処理部５０７、判定処理部５０８、深度格納部５１０、光源分布格納部５２０、及び補正係数格納部５３０を備える。
【００３８】
制御部５０１は、検査部５の各部の動作を制御する。制御部５０１は、ＣＰＵ、バッファメモリ、プログラムメモリ、及び不揮発性メモリなどを備えている。
【００３９】
ＣＰＵは、種々の演算処理を行う。バッファメモリは、ＣＰＵにより演算結果を一時的に記憶する。プログラムメモリ及び不揮発性メモリは、ＣＰＵが実行する種々のプログラム及び制御データなどを記憶する。
【００４０】
制御部５０１は、ＣＰＵによりプログラムメモリに記憶されているプログラムを実行することにより、種々の処理を行うことができる。例えば、制御部５０１は、照明部５０２、センサ５０３、及び深度検出部５０４の動作タイミングを制御する。
【００４１】
また、制御部５０１は、図１に示す制御部８に接続されている。例えば、制御部５０１は、処理結果を制御部８に伝送することができる。また、制御部５０１は、制御部８から送信される制御信号に基づいて、検査部５の各部の動作を制御することが出来る。
【００４２】
照明部５０２は、搬送部４１により矢印Ａの方向（搬送方向）に搬送される紙葉類１に対して光を照射する。照明部５０２は、例えば、蛍光灯、ハロゲンランプ、またはＬＥＤなどの光源と、光源から発せられた光をセンサ５０３の読取位置に導光する導光部材とを備える。即ち、照明部５０２は、前記５０３の読取位置を含む範囲に光を照射する。
【００４３】
なお、照明部５０２は、センサ５０３の走査方向と平行に複数配列されたＬＥＤ、またはセンサ５０３の走査方向と平行な直管型の蛍光灯などを備える構成であってもよい。また、照明部５０２は、センサ５０３を挟んで上流側と下流側とからセンサ５０３の読取位置に光を照射する構成であってもよい。またさらに、センサ５０３の読取光軸上に設けられたハーフミラーを導光部材として備える構成であってもよい。この場合、照明部５０２は、センサ５０３の読取位置に対して垂直方向から光を照射することが出来る。
【００４４】
センサ５０３は、紙葉類１の一方の面から光度に応じた強度の電気信号を生成する。センサ５０３は、例えば、Ｃｈａｒｇｅ  Ｃｏｕｐｌｅｄ  Ｄｅｖｉｃｅ（ＣＣＤ）などの受光素子と、光学系とを備える。光学系は、所定の読取位置（走査範囲）から光を受光し、受光した光を受光素子に結像させる。この読取位置に紙葉類１が存在する場合、光学系は、紙葉類１の面で反射した反射光を受光し、受光素子に結像させる。受光素子は、結像された光に基づいて電気信号を生成する。受光素子は、例えば、カラーイメージセンサーがライン状に配設されたラインセンサーなどにより構成される。受光素子は、紙葉類１の搬送方向ａと直交する方向に走査するように配置される。
【００４５】
センサ５０３は、搬送部４１によって搬送方向Ａの方向に搬送される紙葉類１から連続して電気信号を生成することにより、紙葉類１の全体の二次元的な画像を取得する。
【００４６】
なお、カラーイメージセンサーは、例えば、赤(Ｒ)、緑(Ｇ)、青(Ｂ)構成のＣＣＤアレイによって構成される。センサ５０３は、反射光強度の光電変換により、Ｒ、Ｇ、Ｂのアナログ画像信号を生成し、さらにＲ、Ｇ、Ｂのディジタル画像信号に変換する。また、センサ５０３は、カラーイメージセンサーに限らず、赤外線特性、または紫外線特性などを検知するセンサを備える構成であってもよい。
【００４７】
深度検出部５０４は、センサ５０３の読取位置における紙葉類１の深度を検出する。深度は、センサ５０３の読取位置における紙葉類１の面とセンサ５０３との距離を示す。深度検出部５０４は、この深度の変化（変位）を検出する。
【００４８】
深度検出部５０４は、例えば、三角測量を応用したレーザー式変位センサを備える。さらに、深度検出部５０４は、２次元レーザー式変位センサを備える構成であってもよい。この場合、深度検出部５０４は、センサ５０３の読取位置における紙葉類１の深度を走査方向にラインで取得することができる。即ち、深度検出部５０４は、センサ５０３の１ライン分の紙葉類１の深度を検出することが出来る。
【００４９】
図３は、深度検出部５０４により検出されたセンサ５０３の１ライン分の紙葉類１の深度の例を示す。図３により示されるように、深度検出部５０４は、走査位置に対応する紙葉類１の深度を検出することができる。
【００５０】
さらに、深度検出部５０４は、走査位置に対応する紙葉類１の深度を連続して検出することにより、センサ５０３の読取位置における紙葉類１の深度を紙葉類１の全体に亘って検出することができる。
【００５１】
図４は、紙葉類１の全体の深度の例を示す。図４の横軸は、紙葉類１の幅方向を示す。また、図４の縦軸は、紙葉類１の長手方向を示す。なお、紙葉類１がスキューしていない場合、紙葉類１の幅方向は、センサ５０３の走査方向と等しい。また、紙葉類１がスキューしていない場合、紙葉類１の長手方向は、紙葉類１の搬送方向ａと等しい。図４の各セルのハッチングは、それぞれ検出された深度を示す。ハッチングが濃いほど深度の値が高いことを示す。
【００５２】
例えば、深度検出部５０４は、センサ５０３の分解能に応じて紙葉類１の深度を検出する。即ち、深度検出部５０４は、センサ５０３により検出される画像の各画素毎に紙葉類１の深度を検出する。なお、深度検出部５０４は、センサ５０３により検出される画像の複数の画素を含む領域毎に紙葉類１の深度を検出する構成であってもよい。即ち、深度検出部５０４は、紙葉類１が搬送される搬送面上の所定の領域毎に紙葉類１の深度を検出する。
【００５３】
図４により示される例によると、センサ５０３は、１ラインでｍ個の画素を検出する。画素毎に紙葉類１の深度を検出する場合、深度検出部５０４は、センサ５０３の１ラインに相当するｍ個の深度を検出する。
【００５４】
さらに、センサ５０３は、ｎ回連続して画像を検出する。これにより、センサ５０３は、ｎ×ｍピクセルの画像を取得する。なお、あるライン上におけるｉ番目の列（縦列）をｘｉとし、ｉ番目のライン（横列）をｙｉとした場合、ｉライン上のｉ番目の画素をＰ（ｘｉ，ｙｉ）と表す。
【００５５】
深度検出部５０４は、走査位置に対応する紙葉類１の深度を連続して検出することにより、紙葉類１の深度を紙葉類１の全体に亘って検出することができる。画素毎に深度を検出する場合、深度検出部５０４は、各画素Ｐ（ｘｉ，ｙｉ）に対応する深度をそれぞれ検出する。
【００５６】
図２に示されるデータ記憶部５０５は、センサ５０３により検出された紙葉類１の画像を一時的に記憶する。  
補正係数算出部５０６は、深度と、光源分布格納部５２０により格納されている分布情報とに基づいて、紙葉類１の画像に対する補正に用いる補正係数を算出する。
【００５７】
補正処理部５０７は、補正係数算出部５０６により算出された補正係数により紙葉類１の画像を補正する。例えば、補正処理部５０７は、補正係数を紙葉類１の画像に乗算する。
【００５８】
判定処理部５０８は、補正処理部５０７により補正された紙葉類１の画像に基づいて、紙葉類１に対する判定処理を行う。上記したように、判定処理部５０８は、紙葉類１の券種、額面、正損、及び真偽などを判定する。この為に、判定処理部５０８は、これらの判定を行う為のパラメータを有する辞書を備える。判定処理部５０８は、辞書のパラメータと、補正された紙葉類１の画像とに基づいて、紙葉類１の券種、額面、正損、及び真偽などを判定する。またさらに、判定処理部５０８は、補正された紙葉類１の画像に対して文字認識を行い、紙葉類１の記番号を検出する。
【００５９】
深度格納部５１０は、紙葉類１の深度のプリセット値を記憶する。紙葉類１の搬送ばたつきは、搬送ベルトの位置、及び搬送速度などに応じて偏りが生じる、そこで、深度格納部５１０は、サンプルとしての複数の紙葉類１から検出された深度に基づいてプリセット値を算出し、算出したプリセット値を格納する。例えば、深度格納部５１０は、複数の紙葉類１から検出された深度の平均、中間値、または他の方法により深度のプリセット値を算出する。この深度のプリセット値を用いて補正を行うことにより、検査部５は、紙葉類１の搬送ばたつきの影響を抑えることができる。
【００６０】
なお、複数の紙葉類処理装置１００間で紙葉類１の搬送時の深度の差が小さい場合、深度格納部５１０が格納する深度のプリセット値は、複数の紙葉類処理装置１００において共通であってもよい。また、複数の紙葉類処理装置１００の間で、紙葉類１の搬送時の深度の差が大きい場合、紙葉類処理装置１００毎に予め深度のプリセット値を算出し、算出したプリセット値を深度格納部５１０に格納する。
【００６１】
また、深度格納部５１０は、センサ５０３の１ラインに相当する深度のプリセット値を格納する。さらに、深度格納部５１０は、紙葉類１の全体に亘る深度のプリセット値を格納する構成であってもよい。
【００６２】
光源分布格納部５２０は、センサ５０３の読取位置における深度方向の明るさの分布情報を格納する。即ち、光源分布格納部５２０は、センサ５０３の撮像光軸方向における照明部５０２からの光の照度の分布（照度分布）を示す情報を格納する。
【００６３】
照明部５０２から放射されて紙葉類１により反射された反射光は、紙葉類１の表面から放射状に広がる。この為、反射光は、紙葉類１とセンサ５０３との距離（深度）に応じて反射光の強さ（光度）が減衰する。光源分布格納部５２０は、所定の深度毎の明るさの低下率をプリセット値として記憶する。
【００６４】
所定の深度毎の明るさの低下率は、深度が変更された場合の明るさの変化を予めセンサ５０３により計測し、基準となる深度（基準深度）における明るさとの比に応じて算出される。即ち、紙葉類１が基準深度に存在する場合にセンサ５０３により検出される明るさと、ある深度に紙葉類１が存在する場合にセンサ５０３により検出された明るさとの比を低下率として算出する。
【００６５】
図５は、光源分布格納部５２０により格納されている明るさの分布情報の例を示す。光源分布格納部５２０は、センサ５０３の１ライン上における画素の位置と、深度と明るさの低下率を対応付けて記憶する。なお、光源分布格納部５２０は、画素毎ではなく、センサ５０３の１ライン上の所定の領域毎に、深度と明るさの低下率を対応付けて記憶する構成であってもよい。
【００６６】
補正係数算出部５０６は、光源分布格納部５２０により格納されている明るさの低下率と深度とに基づいて補正係数を算出する。即ち、補正係数算出部５０６は、深度に基づいて光源分布格納部５２０を参照することにより、この深度における明るさの低下率を特定する。
【００６７】
なお、ここでは、図６に示すように、照明部５０２からの光が紙葉類１の表面に対して垂直に入射することを仮定する。この場合、紙葉類１の表面における反射率は一定である。この為、上記したように、補正係数算出部５０６は、深度方向の変位値に応じた明るさの低下率に基づいて補正係数を算出することができる。
【００６８】
例えば、センサ５０３の１ライン上の所定の領域毎の深度に基づいて補正係数を算出する場合、補正係数算出部５０６は、深度に基づいて明るさの低下率を各領域毎に特定する。補正係数算出部５０６は、特定した明るさの低下率を補正係数として各領域毎に算出する。これにより、補正係数算出部５０６は、図７に示すように、センサ５０３の各画素の位置に対応する補正係数をそれぞれ算出することができる。
【００６９】
補正処理部５０７は、補正係数算出部５０６により算出された補正係数により紙葉類１の画像を補正する。例えば、補正処理部５０７は、補正係数を紙葉類１の画像の画素の値に乗算する。
【００７０】
なお、補正係数算出部５０６は、深度検出部５０４により検出された深度に基づいて明るさの低下率を特定する。また、補正係数算出部５０６は、深度格納部５１０により格納されている深度のプリセット値に基づいて明るさの低下率を特定する構成であってもよい。なお、深度のプリセット値を用いる場合、検査部５は、深度検出部５０４の構成を省いてもよい。
【００７１】
また、図８に示すように、照明部５０２からの光に対して紙葉類１の表面がそれぞれ傾きを有していることを仮定する。この傾きは、照明部５０２と、センサ５０３とに対する紙葉類１の表面の傾きを示す。紙葉類１の表面がそれぞれ傾きを有する場合、紙葉類１の表面における光の反射率（センサ５０３への入射光量）は傾きに応じて異なる。この為、補正係数算出部５０６は、深度方向の変位値に応じた明るさの低下率と、紙葉類１の表面の傾きと、に基づいて補正係数を算出することができる。
【００７２】
この場合、深度検出部５０４は、２次元レーザー式変位センサなどにより、センサ５０３の読取位置における深度方向の変位値をセンサ５０３の走査方向にラインで検出する。これにより、深度検出部５０４は、紙葉類１表面の形状を検出することができる。この結果、補正係数算出部５０６は、図９に示すように、紙葉類１の傾きを認識することができる。
【００７３】
また、補正係数算出部５０６は、ライン状に検出された深度に基づいて、紙葉類１の傾きを推定する構成であってもよい。例えば、補正係数算出部５０６は、隣り合う領域から検出された深度の差と、この領域のサイズとに基づいて、傾きを算出する構成であってもよい。これにより、補正係数算出部５０６は、紙葉類１上の各領域における垂直方向への光の反射率を推定することができる。
【００７４】
補正係数算出部５０６は、この反射率と、明るさの低下率とに基づいて補正係数を算出する構成であってもよい。例えば、補正係数算出部５０６は、反射率と、明るさの低下率とを乗算することにより、図１０に示すように、センサ５０３の各画素の位置に対応する補正係数をそれぞれ算出することができる。補正処理部５０７は、補正係数算出部５０６により算出された補正係数を紙葉類１の画像の画素の値に乗算する。これにより補正値が算出される。
【００７５】
補正係数格納部５３０は、上記の処理により算出された補正係数を格納する。また、補正係数格納部５３０は、格納している補正係数を補正処理部５０７に供給する。
【００７６】
図１１は、照明部５０２、センサ５０３、及び深度検出部５０４の配置位置の例を示す。なお、照明部５０２の照明範囲、センサ５０３の読取位置、及び深度検出部５０４により深度が検出される位置（深度検出位置）は、全て一致することが望ましいが、実際の装置構成上困難な場合がある。そこで、センサ５０３の読取位置から所定の範囲内に照明部５０２の照明範囲及び深度検出位置が形成されるようにセンサ５０３及び深度検出部５０４が配置される構成であってもよい。
【００７７】
図１２は、図２に示す検査部５の処理の例を示す。  
紙葉類処理装置１００の制御部８は、図１に示す搬送状態検知部４、または図示しない位置検出センサを用いて紙葉類１の搬送位置を検知する（ステップＳ１１）。制御部８は、搬送状態検知部４、または位置検出センサの検知位置に紙葉類１が存在しない場合の検出信号と、紙葉類１が存在する場合の検出信号とのレベル差に基づいて、紙葉類１の搬送位置を認識する。
【００７８】
制御部８は、図２に示すセンサ５０３の検出位置に紙葉類１が到達するタイミングでセンサ５０３により紙葉類１から画像を取得するように検査部５を制御する（ステップＳ１２）。センサ５０３は、制御に基づいて逐次画像を検出する。これにより、センサ５０３は、紙葉類１の全体の画像を取得ことができる。
【００７９】
深度検出部５０４は、センサ５０３の読取位置における紙葉類１の深度を検出する（ステップＳ１３）。深度検出部５０４は、センサ５０３の各画素に対応する領域毎に紙葉類１の深度を検出する構成であってもよいし、所定の領域毎に紙葉類１の深度を検出する構成であってもよい。深度検出部５０４は、センサ５０３の各ライン毎に紙葉類１の深度を検出することにより、紙葉類１の全体に亘る深度を検出することができる。
【００８０】
補正係数算出部５０６は、光源分布格納部５２０により格納されている明るさの低下率を示す照度分布を読み出す（ステップＳ１４）。補正係数算出部５０６は、明るさの低下率と、深度検出部５０４により検出された深度とに基づいて、補正係数を算出する（ステップＳ１５）。なお、補正係数算出部５０６は、深度検出部５０４は、センサ５０３の各画素毎に補正係数を算出する構成であってもよいし、所定の領域毎に補正係数を算出する構成であってもよい。
【００８１】
補正処理部５０７は、補正係数算出部５０６により算出された補正係数により紙葉類１の画像を補正する（ステップＳ１６）。例えば、補正処理部５０７は、補正係数を紙葉類１の画像に乗算する。各画素毎に補正係数が算出された場合、補正処理部５０７は、各補正係数を対応する画素の値に乗算する。また、領域毎に補正係数が算出された場合、補正処理部５０７は、各画素に対応する領域の補正係数を画素の値に乗算する。これにより補正された紙葉類１の画像（補正値）が算出される。
【００８２】
判定処理部５０８は、補正処理部５０７により補正された紙葉類１の画像に基づいて、紙葉類１に対する判定処理を行う（ステップＳ１７）。上記したように、判定処理部５０８は、辞書のパラメータと、補正された紙葉類１の画像とに基づいて、紙葉類１の券種、額面、正損、及び真偽などを判定する。
【００８３】
制御部５０１は、判定処理部５０８による判定結果を制御部８に送信する（ステップＳ１８）。制御部８は、判定処理部５０８の判定結果、及び他のモジュールの処理結果に基づいて、紙葉類１の搬送先を総合して判断する。
【００８４】
なお、上記のステップＳ１５において、補正係数算出部５０６は、照度分布と、深度検出部５０４により検出された深度とに基づいて補正係数を算出すると説明したが、この構成に限定されない。補正係数算出部５０６は、深度格納部５１０により格納されている紙葉類１の深度のプリセット値と上記の照度分布とに基づいて補正係数を算出する構成であってもよい。この場合、深度検出部５０４の構成を省くことができる。
【００８５】
このような構成により、紙葉類処理装置１００は、紙葉類１に搬送バタツキが生じる場合であっても、紙葉類１のバタツキの度合いに応じた補正を行うことにより、より精度の高い紙葉類１の画像を取得することができる。即ち、紙葉類処理装置１００は、搬送ばたつきによる影響を軽減することができる。この結果、より高い精度で紙葉類を処理することが出来る紙葉類処理装置、及び紙葉類処理方法を提供することができる。
【００８６】
また、上記の紙葉類処理装置１００の検査部５は、補正係数算出部５０６により逐次補正係数を算出する構成として説明したが、この構成に限定されない。検査部５は、予め算出された補正係数を格納する補正係数格納部を備える構成であってもよい。
【００８７】
図１３は、検査部５の画像読取部に相当する構成の他の例を示す。なお、図２に示した構成と同じ構成には、同じ参照符号を付し、詳細な説明を省略する。  
検査部５は、制御部５０１、照明部５０２、センサ５０３、データ記憶部５０５、補正処理部５０７、判定処理部５０８、及び補正係数格納部５３０を備える。
【００８８】
補正係数格納部５３０は、補正係数を格納する。なお、補正係数格納部５３０は、予め算出された補正係数を格納する構成であってもよい。例えば、補正係数格納部５３０は、図６により示された処理、または図８により示された処理によって算出された補正係数を格納する。即ち、補正係数格納部５３０は、図７により示された補正係数、または図１０により示された補正係数を格納する。また、補正係数格納部５３０は、震度格納部５１０により格納されている深度のプリセット値と、光源分布格納部５２０により格納されている照度分布とに基づいて算出された補正係数を格納する構成であってもよい。
【００８９】
なお、補正係数格納部５３０は、サンプルとしての複数の紙葉類１から検出された深度、及び紙葉類１の傾きに基づいて算出された補正係数からプリセット値を算出し、格納する構成であってもよい。この場合、例えば、補正係数格納部５３０は、複数の紙葉類１に基づいて算出された補正係数の平均、中間値、または他の方法により補正係数のプリセット値を算出する。この補正係数のプリセット値を用いて補正を行うことにより、検査部５は、紙葉類１の搬送ばたつきの影響を抑えることができる。
【００９０】
なお、複数の紙葉類処理装置１００間で紙葉類１の搬送時の深度及び傾きの差が小さい場合、補正係数格納部５３０が格納する補正係数のプリセット値は、複数の紙葉類処理装置１００において共通であってもよい。また、複数の紙葉類処理装置１００の間で、紙葉類１の搬送時の深度及び傾きの差が大きい場合、紙葉類処理装置１００毎に予め補正係数のプリセット値を算出し、算出したプリセット値を補正係数格納部５３０に格納する。
【００９１】
また、補正係数格納部５３０は、センサ５０３の１ラインに相当する補正係数のプリセット値を格納する。さらに、補正係数格納部５３０は、紙葉類１の全体に亘る補正係数のプリセット値を格納する構成であってもよい。
【００９２】
図１４は、図１３に示す検査部５の処理の例を示す。  
紙葉類処理装置１００の制御部８は、図１に示す搬送状態検知部４、または図示しない位置検出センサを用いて紙葉類１の搬送位置を検知する（ステップＳ２１）。
【００９３】
制御部８は、図１３に示すセンサ５０３の検出位置に紙葉類１が到達するタイミングでセンサ５０３により紙葉類１から画像を取得するように検査部５を制御する（ステップＳ２２）。
【００９４】
補正処理部５０７は、センサ５０３の読取位置に応じた補正係数を補正係数格納部５３０から読み出す（ステップＳ２３）。さらに、補正処理部５０７は、読み出した補正係数により紙葉類１の画像を補正する（ステップＳ２４）。
【００９５】
判定処理部５０８は、補正処理部５０７により補正された紙葉類１の画像に基づいて、紙葉類１に対する判定処理を行う（ステップＳ２５）。上記したように、判定処理部５０８は、辞書のパラメータと、補正された紙葉類１の画像とに基づいて、紙葉類１の券種、額面、正損、及び真偽などを判定する。
【００９６】
制御部５０１は、判定処理部５０８による判定結果を制御部８に送信する（ステップＳ２６）。制御部８は、判定処理部５０８の判定結果、及び他のモジュールの処理結果に基づいて、紙葉類１の搬送先を総合して判断する。
【００９７】
上記したように、紙葉類処理装置１００は、センサ５０３の読取位置に応じて予め算出された補正係数を格納し、この補正係数を用いて紙葉類１のバタツキの度合いに応じた補正を行うことができる。これにより、簡易な構成でより精度の高い紙葉類１の画像を取得することができる。即ち、紙葉類処理装置１００は、簡易な構成で搬送ばたつきによる影響を軽減することができる。この結果、簡易な構成でより高い精度で紙葉類を処理することが出来る紙葉類処理装置、及び紙葉類処理方法を提供することができる。
【００９８】
なお、上記の実施形態では、検査部５は、照明部５０２、センサ５０３、及び深度検出部５０４をそれぞれ１つずつ備えるとして説明したが、この構成に限定されない。検査部５は、複数の照明部５０２、センサ５０３、及び深度検出部５０４を備える構成であってもよい。例えば、検査部５は、紙葉類１の他方の面の画像を取得することができるように配置された照明部、センサ、及び深度検出部をさらに備える。照明部、センサ、及び深度検出部は、紙葉類１が搬送される搬送部４１を挟んで照明部５０２、センサ５０３、及び深度検出部５０４と対向する位置に設けられる。
【００９９】
また、図２により示される検査部５が補正係数格納部５３０を備える構成であってもよい。この場合、補正処理部５０７は、補正係数算出部５０６により逐次算出された補正係数と、補正係数格納部５３０により格納されている補正係数とのいずれかを選択し、補正処理に用いる。なお、補正処理部５０７がどちらの補正係数を選択するかは、操作部８３による操作入力によって決定されてもよいし、予め設定されていてもよい。
【０１００】
なお、上述の各実施の形態で説明した機能は、ハードウエアを用いて構成するに留まらず、ソフトウエアを用いて各機能を記載したプログラムをコンピュータに読み込ませて実現することもできる。また、各機能は、適宜ソフトウエア、ハードウエアのいずれかを選択して構成するものであっても良い。
【０１０１】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
なお、以下に本願の出願当初の特許請求の範囲を付記する。
［Ｃ１］
紙葉類を搬送する搬送手段と、
搬送される前記紙葉類に対して光を照射する照明手段と、
前記紙葉類から画像を取得する画像取得手段と、
搬送される前記紙葉類の深度と前記照明手段から放射される光の照度分布とに基づいて予め算出される補正係数を格納する補正係数格納手段と、
前記補正係数により、前記画像取得手段により取得された前記画像を補正する補正処理手段と、
を具備する紙葉類処理装置。
［Ｃ２］
前記紙葉類の深度のプリセット値を予め格納する深度格納手段をさらに具備し、
前記補正係数格納手段は、前記深度のプリセット値と、前記照度分布とに基づいて算出された補正係数を格納する、
Ｃ１に記載の紙葉類処理装置。
［Ｃ３］
搬送される前記紙葉類の深度を検出する深度検出手段をさらに具備し、
前記補正係数格納手段は、前記深度検出手段により検出された前記紙葉類の深度と、前記照度分布とに基づいて算出された補正係数を格納する、
Ｃ１に記載の紙葉類処理装置。
［Ｃ４］
搬送される前記紙葉類の前記照明手段と前記画像取得手段とに対する傾きを検出する傾き検出手段をさらに具備し、
前記補正係数格納手段は、前記深度検出手段により検出された前記紙葉類の深度と、前記傾き検出手段により検出された前記傾きと、前記照度分布とに基づいて算出された補正係数を格納する、
Ｃ３に記載の紙葉類処理装置。
［Ｃ５］
前記照明手段は、前記画像取得手段の読取位置を含む範囲に光を照射し、
前記補正係数格納手段は、前記画像取得手段の読取位置から所定範囲内で検出された前記紙葉類の深度に基づいて算出された補正係数を格納する、
Ｃ１乃至４のいずれかに記載の紙葉類処理装置。
［Ｃ６］
前記補正処理手段により補正された前記画像に基づいて前記紙葉類に対する判定を行う判定手段と、
前記判定手段の判定結果に基づいて、前記紙葉類を区分する区分処理手段と、
をさらに具備するＣ１乃至５のいずれかに記載の紙葉類処理装置。
［Ｃ７］
紙葉類を搬送し、
搬送される前記紙葉類に対して光を照射し、
前記紙葉類から画像を取得し、
搬送される前記紙葉類の深度と前記紙葉類に照射される光の照度分布とに基づいて予め算出される補正係数を格納し、
前記補正係数により、取得された前記画像を補正する、
紙葉類処理方法。
【符号の説明】
【０１０２】
１…紙葉類、２…供給部、３…込み部、４…搬送状態検知部、５…検査部、６…検知部、７…集積部、８…制御部、９…排除券集積部、４１…搬送部、５１…真偽検知部、５２…正損検知部、５３…券種検知部、５４…記番号検知部、７１…正券集積部、７２…損券集積部、８１…主制御部、８２…総合判定部、８３…操作部、１００…紙葉類処理装置、５０１…制御部、５０２…照明部、５０３…センサ、５０４…深度検出部、５０５…データ記憶部、５０６…補正係数算出部、５０７…補正処理部、５０８…判定処理部、５１０…深度格納部、５２０…光源分布格納部、５３０…補正係数格納部。
【図１】
0005743819.tif 000002
【図２】
0005743819.tif 000003
【図３】
0005743819.tif 000004
【図４】
0005743819.tif 000005
【図５】
0005743819.tif 000006
【図６】
0005743819.tif 000007
【図７】
0005743819.tif 000008
【図８】
0005743819.tif 000009
【図９】
0005743819.tif 000010
【図１０】
0005743819.tif 000011
【図１１】
0005743819.tif 000012
【図１２】
0005743819.tif 000013
【図１３】
0005743819.tif 000014
【図１４】
0005743819.tif 000015